(57)【要約】      （修正有）【課題】  身体不自由者の個人情報を取得し管理することにより、介護者等が身体不自由者の個人情報を適確に把握できる身体不自由者マップ処理方法、及び身体不自由者マップ処理用プログラムを提供する。【解決手段】  サーバー１２内に、地物及び地形を表わす基本マップ表示データ並びに基本マップ上の各位置の住所データを含む基本マップデータベースを記憶する基本マップ記憶手段１４と、入力された身体不自由者の個人情報に含まれる住所データに基づいて基本マップ記憶手段１４から基本マップ上の位置を検索し、その位置にマークを付すマーク付記手段２０と、マークを付したマップを記憶するマップ記憶手段２４と、マップ上のいずれかのマークがクリックされることによりマークに関連付けられた個人情報を個人情報記憶手段２６から検索して表示する検索表示手段２８と、を備えて構成した。【選択図】  図１
2005275823.tif 000002
【特許請求の範囲】
【請求項１】
コンピューターを利用して身体不自由者の個人情報を検索する身体不自由者マップシステムであり、該コンピューター内に、
地物及び地形を表わす基本マップ表示データ並びに該基本マップ上の各位置の住所データを含む基本マップデータベースを記憶する基本マップ記憶手段と、
入力された身体不自由者の個人情報に含まれる住所データに基づいて前記基本マップ記憶手段から前記基本マップ上の位置を検索し該位置にマークを付すマーク付記手段と、
前記マークを付したマップを記憶するマップ記憶手段と、
前記マップ上の各マークに関連付けられた各個人情報を記憶する個人情報記憶手段と、
前記マップ上のいずれかのマークがクリックされることにより該マークに関連付けられた個人情報を前記個人情報記憶手段から検索して表示する検索表示手段と、
を備えた身体不自由者マップシステム。
【請求項２】
前記マップ上のマークが、高齢者又は身体障害者を区別できるように表示される請求項１に記載する身体不自由者マップシステム。
【請求項３】
前記身体不自由者の個人情報が、他の端末から受信することにより入力される請求項１又は請求項２に記載する身体不自由者マップシステム。
【請求項４】
前記個人情報が医療データを含む請求項１乃至請求項３のいずれかに記載する身体不自由者マップシステム。
【請求項５】
災害検知手段と、災害時の対処のために必要な災害時必要情報を蓄積する災害必要情報蓄積手段と、該災害検知手段が災害を検知した時に該災害時必要情報を前記身体不自由者の端末へ配信する災害時必要情報配信手段とを備えた請求項１乃至請求項４のいずれかに記載する身体不自由者マップシステム。
【請求項６】
コンピューターを利用して身体不自由者の個人情報を検索する身体不自由者マップ処理方法であり、
前記コンピューターが、地物及び地形を表わす基本マップ表示データ並びに該基本マップ上の各位置の住所データを含む基本マップデータベースを記憶するステップと、
前記コンピューターが、入力された身体不自由者の個人情報に含まれる住所データに基づいて前記基本マップ記憶手段から前記基本マップ上の位置を検索し該位置にマークを付すステップと、
前記コンピューターが、前記マークを付したマップを記憶するステップと、
前記コンピューターが、前記マップ上の各マークに関連付けられた各個人情報を記憶するステップと、
前記コンピューターが、前記マップ上のいずれかのマークがクリックされることにより該マークに関連付けられた個人情報を前記個人情報記憶手段から検索して表示するステップと、
を含む身体不自由者マップ処理方法。
【請求項７】
コンピューターを利用して身体不自由者の個人情報を検索する身体不自由者マップ処理用プログラムであり、該コンピューターを、
地物及び地形を表わす基本マップ表示データ並びに該基本マップ上の各位置の住所データを含む基本マップデータベースを記憶する基本マップ記憶手段、
入力された身体不自由者の個人情報に含まれる住所データに基づいて前記基本マップ記憶手段から前記基本マップ上の位置を検索し該位置にマークを付すマーク付記手段、
前記マークを付したマップを記憶するマップ記憶手段、
前記マップ上の各マークに関連付けられた各個人情報を記憶する個人情報記憶手段、
前記マップ上のいずれかのマークがクリックされることにより該マークに関連付けられた個人情報を前記個人情報記憶手段から検索して表示する検索表示手段、
として機能させる身体不自由者マップ処理用プログラム。
【発明の詳細な説明】
【技術分野】
【０００１】
本発明は、高齢者又は身体障害者等の身体不自由者の個人情報を処理する身体不自由者マップシステム、身体不自由者マップ処理方法、及び身体不自由者マップ処理用プログラムに関する。
【背景技術】
【０００２】
近年、高齢化社会になってきていることに伴い、高齢者又は身体障害者等の身体不自由者の介護の必要性が高まっている。そこで、身体不自由者を支援するためのシステムも案出されている（例えば、特許文献１乃至特許文献２参照。）。しかし、身体不自由者の個人情報を適切に把握しておくことにより介護時や緊急時に適切な対処ができるようなシステムはなかった。
【特許文献１】特開２００１−２７３３７２号公報
【特許文献２】特開２００２−２５１４６７号公報
【発明の開示】
【発明が解決しようとする課題】
【０００３】
本発明は、身体不自由者の個人情報を取得し管理することにより、介護者等が身体不自由者の個人情報を適確に把握できるシステム、方法及びプログラムを提供することを目的とする。
【課題を解決するための手段】
【０００４】
本発明の身体不自由者マップシステムは、コンピューターを利用して身体不自由者の個人情報を検索する身体不自由者マップシステムであり、該コンピューター内に、地物及び地形を表わす基本マップ表示データ並びに該基本マップ上の各位置の住所データを含む基本マップデータベースを記憶する基本マップ記憶手段と、入力された身体不自由者の個人情報に含まれる住所データに基づいて前記基本マップ記憶手段から前記基本マップ上の位置を検索し該位置にマークを付すマーク付記手段と、前記マークを付したマップを記憶するマップ記憶手段と、前記マップ上の各マークに関連付けられた各個人情報を記憶する個人情報記憶手段と、前記マップ上のいずれかのマークがクリックされることにより該マークに関連付けられた個人情報を前記個人情報記憶手段から検索して表示する検索表示手段と、を備えたことを特徴とする。なお、これらの手段は、コンピューターのＣＰＵ又はメモリー等のハードウエア資源とメモリ内のプログラムとによって構成され、上記各処理を自ら自動的に行なう。
【０００５】
本発明の身体不自由者マップシステムは、前記身体不自由者マップシステムにおいて、前記マップ上のマークが、高齢者又は身体障害者を区別できるように表示されることを特徴とする。
【０００６】
本発明の身体不自由者マップシステムは、前記身体不自由者マップシステムにおいて、前記身体不自由者の個人情報が、他の端末から受信することにより入力されることを特徴とする。
【０００７】
本発明の身体不自由者マップシステムは、前記身体不自由者マップシステムにおいて、前記個人情報が医療データを含むことを特徴とする。
【０００８】
本発明の身体不自由者マップシステムは、前記身体不自由者マップシステムにおいて、災害検知手段と、災害時の対処のために必要な災害時必要情報を蓄積する災害必要情報蓄積手段と、該災害検知手段が災害を検知した時に該災害時必要情報を前記身体不自由者の端末へ配信する災害時必要情報配信手段とを備えたことを特徴とする。
【０００９】
本発明の身体不自由者マップ処理方法は、コンピューターを利用して身体不自由者の個人情報を検索する身体不自由者マップ処理方法であり、前記コンピューターが、地物及び地形を表わす基本マップ表示データ並びに該基本マップ上の各位置の住所データを含む基本マップデータベースを記憶するステップと、前記コンピューターが、入力された身体不自由者の個人情報に含まれる住所データに基づいて前記基本マップ記憶手段から前記基本マップ上の位置を検索し該位置にマークを付すステップと、前記コンピューターが、前記マークを付したマップを記憶するステップと、前記コンピューターが、前記マップ上の各マークに関連付けられた各個人情報を記憶するステップと、前記コンピューターが、前記マップ上のいずれかのマークがクリックされることにより該マークに関連付けられた個人情報を前記個人情報記憶手段から検索して表示するステップと、を含むことを特徴とする。
【００１０】
本発明の身体不自由者マップ処理用プログラムは、コンピューターを利用して身体不自由者の個人情報を検索する身体不自由者マップ処理用プログラムであり、該コンピューターを、地物及び地形を表わす基本マップ表示データ並びに該基本マップ上の各位置の住所データを含む基本マップデータベースを記憶する基本マップ記憶手段、入力された身体不自由者の個人情報に含まれる住所データに基づいて前記基本マップ記憶手段から前記基本マップ上の位置を検索し該位置にマークを付すマーク付記手段、前記マークを付したマップを記憶するマップ記憶手段、前記マップ上の各マークに関連付けられた各個人情報を記憶する個人情報記憶手段、前記マップ上のいずれかのマークがクリックされることにより該マークに関連付けられた個人情報を前記個人情報記憶手段から検索して表示する検索表示手段、として機能させることを特徴とする。
【発明の効果】
【００１１】
本発明の身体不自由者マップシステム、身体不自由者マップ処理方法、及び身体不自由者マップ処理用プログラムによれば、マップ上のマークをクリックすることにより、そのマークに関連付けられた個人情報を検索することができる。例えば、入院、診察、介護の履歴等を身体不自由者の個人情報として介護者が検索することにより、介護者が身体不自由者の心身状態を適確に把握して介護の準備を行うことができる。また、電話番号や住所を個人情報として公共機関が検索することにより、災害時に危険箇所や避難経路情報等を身体不自由者に迅速かつ確実に連絡することができる。
【００１２】
また、マップ上のマークによって高齢者又は身体障害者を区別できる本発明の身体不自由者マップシステムによれば、そのマークに関連付けられる個人情報が必要な情報であるか否かを、マークの種類によって認識できる。
【００１３】
また、個人情報が他の端末から受信することにより入力される本発明の身体不自由者マップシステムによれば、身体不自由者の意志によって個人情報を入力して記憶することができる。このため、身体不自由者の個人情報が身体不自由者の意志によらないで流通するのを防止できる。
【００１４】
また、個人情報が医療データを含む本発明の身体不自由者マップシステムによれば、病歴や検査結果等の医療データを介護者等が容易に把握できる。このため、介護の計画及び準備を迅速かつ確実に行うことができる。
【００１５】
また、災害時必要情報配信手段を備えた本発明の身体不自由者マップシステムによれば、災害時に、自動的に、身体不自由者へ、災害の対処のために必要な危険箇所や非難場所の基本マップ等の災害時必要情報を配信することができる。
【発明を実施するための最良の形態】
【００１６】
本発明に係る身体不自由者マップシステムの実施形態について、図面に基づいて詳しく説明する。図１において、符号１０は本発明に係る身体不自由者マップシステムである。
【００１７】
本発明の身体不自由者マップシステム１０は、サーバー（コンピューター）１２を利用して身体不自由者の個人情報を検索する身体不自由者マップシステムである。身体不自由者マップシステム１０は、サーバー１２内に、地物及び地形を表わす基本マップ表示データ並びに基本マップ上の各位置の住所データを含む基本マップデータベースを記憶する基本マップ記憶手段１４と、入力された身体不自由者の個人情報１６に含まれる住所データに基づいて基本マップ記憶手段１４から基本マップ上の位置を検索し、その位置にマーク１８を付すマーク付記手段２０と、マーク１８を付したマップ２２を記憶するマップ記憶手段２４と、マップ２２上の各マーク１８に関連付けられた各個人情報１６を記憶する個人情報記憶手段２６と、マップ２２上のいずれかのマーク１８がクリックされることによりマーク１８に関連付けられた個人情報１６を個人情報記憶手段２６から検索して表示する検索表示手段２８と、を備えて構成されている。なお、インターネット等のサーバー１２は、図２に示すように、ネットワークＮを介して端末３０と通信可能である。
【００１８】
マップ２２上のマーク１８は、図３に示すように丸印で表わされるが、色彩により高齢者又は身体障害者を区別できるように表示される。身体不自由者の個人情報１６は、他の端末３０から受信することにより入力される。個人情報１６は、図３に示すように、病歴や介護訪問日記等の医療データを含む。
【００１９】
なお、本発明の身体不自由者マップ処理用プログラムは、サーバー１２を利用して身体不自由者の個人情報１６を検索する身体不自由者マップ処理用プログラムである。この身体不自由者マップ処理プログラムは、サーバー１２を、基本マップ記憶手段１４、マーク付記手段２０、マップ記憶手段２４、個人情報記憶手段２６、検索表示手段２８、として機能させるプログラムである。
【００２０】
このような身体不自由者マップシステム１０及び身体不自由者マップ処理用プログラムの作動について以下に説明することにより、本発明の身体不自由者マップ処理方法について説明する。
【００２１】
この身体不自由者マップシステム１０を利用して個人情報１６の登録をしようとする者は、まず、端末３０により、図３に示す画面から個人情報１６を入力する。個人情報としては、氏名、生年月日、住所、電話番号の他、病歴や介護訪問を入力する。なお、個人情報１６の入力において、図４に示すように、個人情報１６として家屋等の写真データ（図４においてはＪＰＧデータ）を付加できる。このようにして入力された個人情報１６はサーバー１２へ送信される。
【００２２】
サーバー１２は、この個人情報１６を受信すると、その個人情報１６に含まれる住所データに基づいて基本マップ記憶手段１４から基本マップ上の位置を検索し、図５に示すように、その位置にマーク１８が付される。マーク１８の付されたマップ２２はマップ記憶手段２４に、個人情報１６は個人情報記憶手段２６に、夫々記憶される。
【００２３】
次に、この身体不自由者マップシステム１０を利用して個人情報１６の検索を行なおうとする者は、図６に示すような検索画面にアクセスする。この画面から、マップ２２上の各マーク１８をクリックすることにより、このマーク１８に関連付けられる個人情報１６が検索されて表示される。また、個人情報１６の検索は、図７に示すように高齢者等の身体不自由者の分類別に身体不自由者一覧３２を表示させることによっても行なえる。この画面において、「検索」をクリックすることにより、図８に示すように、身体不自由者一覧３２に対応するマーク１８が四角形で囲まれて表わされる。これらマーク１８のいずれかをクリックすることにより、図９に示すように、そのマーク１８に対応する個人情報１６が表示される。
【００２４】
以上、本発明の実施形態について図面に基づいて説明したが、本発明は図示したものに限定されない。
【００２５】
例えば、サーバー内に、災害検知手段と、災害時の対処のために必要な災害時必要情報を蓄積する災害必要情報蓄積手段と、該災害検知手段が災害を検知した時に該災害時必要情報を前記身体不自由者の端末へ配信する災害時必要情報配信手段とを備えても良い。災害検知手段は、作業者による手動入力手段、又は所定箇所に備えられた火災検知センサ若しくは地震検知センサ等である。災害時必要情報とは、避難経路を示す基本マップ、危険箇所を示す基本マップ、災害対策マニュアル等である。
【００２６】
また、サーバー内に対象者実態データ、医療機関や主要施設の詳細情報、道路点検データのデータベースを記憶する手段を備えておき、介護者や身体不自由者がこれらの情報を検索できるようにしても良い。また、これらの情報を所定時に身体不自由者等へ自動配信できるようにしても良い。
【００２７】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２８】
本発明の身体不自由者マップシステム、身体不自由者マップ処理方法、及び身体不自由者マップ処理用プログラムによれば、身体不自由者の個人情報を取得し管理することにより、介護者等が身体不自由者の個人情報を適確に把握できる。
【図面の簡単な説明】
【００２９】
【図１】本発明の身体不自由者マップシステムの構成図である。
【図２】図１の身体不自由者マップシステムを説明するためのネットワーク接続構成図である。
【図３】図１の身体不自由者マップシステムの使用時に表示されるコンピューターの画面を示す図である。
【図４】図１の身体不自由者マップシステムの使用時に表示されるコンピューターの画面を示す図である。
【図５】図１の身体不自由者マップシステムの使用時に表示されるコンピューターの画面を示す図である。
【図６】図１の身体不自由者マップシステムの使用時に表示されるコンピューターの画面を示す図である。
【図７】図１の身体不自由者マップシステムの使用時に表示されるコンピューターの画面を示す図である。
【図８】図１の身体不自由者マップシステムの使用時に表示されるコンピューターの画面を示す図である。
【図９】図１の身体不自由者マップシステムの使用時に表示されるコンピューターの画面を示す図である。
【符号の説明】
【００３０】
１０  身体不自由者マップシステム
１２  サーバー（コンピューター）
１４  基本マップ記憶手段
１６  個人情報
１８  マーク
２０  マーク付記手段
２２  マップ
２４  マップ記憶手段
２６  個人情報記憶手段
２８  検索表示手段
３０  端末
Ｎ  ネットワーク
【図１】
2005275823.tif 000003
【図２】
2005275823.tif 000004
【図３】
2005275823.tif 000005
【図４】
2005275823.tif 000006
【図５】
2005275823.tif 000007
【図６】
2005275823.tif 000008
【図７】
2005275823.tif 000009
【図８】
2005275823.tif 000010
【図９】
2005275823.tif 000011